【手続補正書】
【提出日】平成17年6月10日(2005.6.10)
【手続補正１】
【補正対象書類名】明細書
【補正対象項目名】特許請求の範囲
【補正方法】変更
【補正の内容】
【特許請求の範囲】
【請求項１】  
絶縁された複数の電気導体（３６、７６）に結合される電気コネクタ（３５、７５）であって、
ハウジング・カバー（３８、８１）を有するハウジング（３７、８０）であって、該ハウジングおよびカバーが、複数のボア（４４、７７）を有し、各ボアの少なくとも一部がテーパ付けされるハウジング（３７、８０）と、
１つの先の尖った導電プロングが、該ハウジング（３７、８０）の該各ボア（４４、７７）に取り付けられ、絶縁された電気導体（４３、９２）の端部を受容するために軸方向に１つの該ハウジング・ボアに突出する一端部を有する、先の尖った複数の導電プロング（５０、８６）と、
該カバーを該ハウジング・ボアに取り付ける取付け手段（４０、７８）と、
各カラーが、ワイヤを挿入できるように軸方向に延びる開口部を有し、該各カラーが、該カバーが該ハウジングに取り付けられ、該各カラーが１つの該ボアのテーパ部に押し込まれたときに該ハウジング・テーパ部（５１、８５）に押し込まれる圧縮部（５４、８３）を有する、複数の圧縮カラー（５２、８２）を有し、それにより、カラー（５２、８２）を該各ハウジング・ボア（４４、７７）に入れ、ワイヤ（３６、７７）を、挿入されたカラーを通して各ハウジング・ボアに挿入し、カバー（３８、８１）を前記ハウジング（３７、８０）に対して締め付けることによって、該カラーがその中に配置されたワイヤ上にクランプ止めされ、ワイヤの端部から絶縁部を除去することなしに、絶縁された複数のワイヤ（３７、８０）を電気コネクタ（３５、７５）に迅速に接続することができる電気コネクタ。
【請求項２】  
ワイヤ（３７、８０）が挿入されたときに拡張し、ハウジング・カバー（３８、８１）がハウジング（３７、８０）に取り付けられたときに挿入されているワイヤ上に圧縮される、傾斜した拡張可能で圧縮可能な部分（５４、８３）を該各カラー（５２、８２）が有する、請求項１記載の、絶縁された複数の電気導体（３６、７６）に結合される電気コネクタ（３５、７５）。
【請求項３】
各カラー（５２、８２）が、傾斜した複数のフィンガ（５４、８３）を有し、各ボアが、該カラー・フィンガが押し込まれたときに該カラー・フィンガを圧縮させるテーパ部（５１、８５）を有する複数のボア（４４、７７）が、ハウジング・カバー（３８、８１）を貫いて延びる、請求項１記載の、絶縁された複数の電気導体（３６、７６）に結合される電気コネクタ（３５、７５）。
【請求項４】
ワイヤ（３７、８０）が挿入されることによって拡張し、カバー（３８、８１）をハウジング（３７、８０）に取り付けることによって圧縮される複数のセグメントを形成するように分割された複数の部分（５５、８４）を、該各カラー（５２、８２）がその端部に有する、請求項２記載の絶縁された複数の電気導体（３６、７６）に結合される電気コネクタ（３５、７５）。
【請求項５】
カラーがワンピース・ポリマー・カラーである、請求項４記載の絶縁された複数の電気導体（３６、７６）に結合される電気コネクタ（３５、７５）。
【請求項６】
ハウジング（８０）が概して筒状の形状を有する、請求項５記載の絶縁された複数の電気導体（７６）に結合される電気コネクタ（７５）。
【請求項７】
ハウジング（３７）が概して長方形の形状を有する、請求項５記載の絶縁された複数の電気導体（３６）に結合される電気コネクタ（３５）。
【請求項８】
絶縁された複数の電気導体（７６）に結合される電気コネクタ（７５）であって、
各々がテーパ部を有する、複数のボア（８５）を有するハウジング（８０）と、
該ハウジング（８０）に取り付けられ、各導電中央ピンが、絶縁された電気導体（７６）の端部を受容するために１つの該ハウジング・ボア（８５）に延びる、複数の導電中央ピン（８６）と、
該ハウジング（８０）に取外し可能に取り付けられ、複数のボア（７７）を有し、該各ボアが、各々が１つの該ハウジング・ボアにはまるような寸法にされた複数の圧縮カラー（８２）を有し、ワイヤ（７６）を挿入できるように該各カラー（８２）を貫いてボアが延びており、該各カラー（８２）が、該カラー（８２）が該ハウジング・ボア・テーパ部に押し込まれ該圧縮部（８３）が該カラー（８２）に挿入されているワイヤ（７６）に押し付けられたときに圧縮できる圧縮部（８３）を有するハウジング・カバー（８１）と、
該ハウジング・カバー（８１）の一部を覆い、該カバー（８１）を該ハウジング（８０）上に押し付けるために該ハウジング（８０）に取外し可能に取り付けられるハウジング・カバー取付けキャップ（７８）とを備え、
それにより、該カラー（８２）を該ハウジング・テーパ付きボア（８５）に入れることによって、カラー内に配置されているワイヤ（７６）上に該カラーがクランプ止めされる電気コネクタ（７５）。
【請求項９】
各カラーが、テーパ付きフィンガ（８３）を有し、様々な寸法のワイヤを受け入れるような寸法にされる、請求項８記載の絶縁された複数の電気導体（７６）に結合される電気コネクタ（７５）。
【請求項１０】
ワイヤ（７６）が該カラー・ボアに挿入されたときに拡張し、該カラーが該ハウジングに押し込まれたときに挿入されたワイヤ上で圧縮される、拡張可能で圧縮可能な部分（８３）を、該各カラー（８２）が有する、請求項８記載の絶縁された複数の電気導体（７６）に結合される電気コネクタ（７５）。
【請求項１１】
ワイヤが挿入されることによって拡張し、カラー・セグメント（８３）をハウジング（８０）・テーパ部（８５）に押し込むことによって圧縮される複数のカラー・セグメント（８３）を形成する複数の分割部（８４）を、該各カラー（８２）がその端部に有する、請求項１０記載の絶縁された複数の電気導体（７６）に結合される電気コネクタ（７５）。
【請求項１２】
ハウジング（８０）の形状が概して筒状である、請求項８記載の絶縁された複数の電気導体（７６）に結合される電気コネクタ（７５）。
【請求項１３】
絶縁された電気導体（７０、７１、１０３）に結合される電気コネクタ（６０、９５）であって、
ボア（６７、１００）を有するハウジング（６３、９９）と、
該ハウジング（６３、９９）に取外し可能に取り付けられ、ボアを有し、該キャップ・ボアが、テーパ部（１０５）を有し、該ハウジング・キャップ（６８、６９、１０４）が該ハウジング（６３、９９）に取り付けられたときに該ハウジング・ボア（６７、１００）と整列するハウジング・キャップ（６８、６９、１０４）と、
該ハウジング（６３、９９）に取り付けられ、絶縁された電気導体（７０、７１、１０３）の端部を受容するために該ハウジング・ボア（６７、１００）に延びる導電中央ピン（１０１）と、
該ハウジング・ボア（６７、１００）にはまるような寸法にされた圧縮カラー（６１、６２、９７）とを備え、該キャップ（６８、６９、１０４）が、該カラー（６１、６２、９７）が該ハウジング・カバー・ボア・テーパ部に押し込まれ該圧縮カラー（６１、６２、９７）が該カラーに挿入されているワイヤ（７０、７１、１０３）に押し付けられたときに圧縮できる傾斜した圧縮可能部（１０５）を有し、それにより、絶縁されたワイヤ（７０、７１、１０３）を該キャップ（６８、６９、１０４）を通して該ハウジング・ボアに入れ、さらに該カラー（６１、６２、９７）に通し、該キャップ（６８、６９、１０４）を締め付けることによって、該カラー（６１，６２、９７）がワイヤ上にクランプ止めされ、それにより、ワイヤ（７０、７１、１０３）を迅速に電気コネクタに接続することができる電気コネクタ（６０、９５）。
【請求項１４】
ハウジング（６３）が、内部に延びる導電中央ピンを有する２つのボアを有し、かつ２本のワイヤ（７０、７１）を電気コネクタ（６０）に取り付ける一対の圧縮カラー（６１、６２）を有する、請求項１３記載の絶縁された電気導体（７０、７１）に結合される電気コネクタ（６０）。
【請求項１５】
ワイヤ（７０、７１、１０３）が該カラー・ボアに挿入されたときに拡張し、該カラーが該ハウジング（６３、９９）に押し込まれたときに挿入されているワイヤ上に押し付けられる拡張可能で圧縮可能な部分（７２、９７）を、該カラー（６１、６２、９７）が有する、請求項１３記載の絶縁された電気導体（７０、７１、１０３）に結合される電気コネクタ（６０、９５）。
【請求項１６】
ワイヤ（７０、７１、１０３）が挿入されることによって拡張し、該フィンガをハウジング・テーパ部に押し込むことによって圧縮される複数のフィンガ（７２、９７）を、該カラー（６１、６２、９７）がその端部に有する、請求項１３記載の絶縁された電気導体（７０、７１、１０３）に結合される電気コネクタ（６０、９５）。
【請求項１７】
ハウジング（９９）がバッテリ端子である、請求項１３記載の絶縁された電気導体（１０３）に結合される電気コネクタ（９５）。
【請求項１８】
カラー（６１、６２、９７）がワンピース・ポリマー・カラーである、請求項１５記載の絶縁された電気導体（７０、７１、１０３）に結合される電気コネクタ（６０、９５）。
【請求項１９】
ハウジング（６６、９６）が、概して筒状の形状を有する、請求項１５記載の絶縁された複数の電気導体（７０、７１、１０３）に結合される電気コネクタ（６０、９５）。
【請求項２０】
絶縁された電気導体に結合される電気コネクタであって、
ボアを有するハウジング、
該ハウジングに取外し可能に取り付けられ、電気コネクタを受け入れるようにハウジング・キャップを貫通するボアを有するハウジング・キャップと、
該ハウジングに取り付けられ、該ハウジング・ボア内に延び、電気導体の端部に係合する導電中央ピン、
該ハウジングのボアと該ハウジング・キャップのボアのうちの一方のボアがテーパ部分を有し、他方のボアが平坦な端壁を有するボア、および
絶縁された電気導体を内部に受け入れるサイズを有し、該一方のボアのテーパ部分とのくさび状嵌め合い部を形成するサイズを有する傾斜長穴付き外端部を有し、該ボアの平坦な端壁に係合するため平坦面部を他方の端部に有する圧縮カラーを含み、
絶縁された電気導体を、該ハウジング・キャップを通じて挿入し、かつ傾斜した端部が該一方のボアに面するように向けられた該圧縮カラーを通じて挿入して該中央ピンと係合させ、かつ該ハウジング・キャップを該ハウジングに取り付けると、該他方のボアの平坦な端壁が該圧縮カラーの平坦面部に係合して圧縮カラーの傾斜端部の所を該一方のボアのテーパ部分とくさび状に係合させ、それによって圧縮カラーを電気導体の絶縁面に固定させる電気コネクタ。
【請求項２１】
該ハウジングのボアはテーパ部分を有し、ハウジング・キャップのボアは平坦な端壁を有する、請求項20記載の電気コネクタ。
【請求項２２】
ハウジングは、対応する複数の中央ピンを備える複数のボアを有し、ハウジング・キャップは、複数の電気導体を受け入れる対応する複数のボアを有し、ハウジング・キャップがハウジングに取り付けられたときに電気導体上に固定されるため対応する複数の圧縮カラーが設けられる、請求項21記載の電気コネクタ。
【請求項２３】
該ハウジング・キャップのボアはテーパ部分を有し、ハウジングのボアは平坦な端壁を有する、請求項20記載の電気コネクタ。
【請求項２４】
ハウジングは、対応する複数の中央ピンを備える複数のボアを有し、ハウジング・キャップがハウジングに取り付けられたときに複数の電気導体上に固定されるため対応する複数の圧縮カラーが設けられ、該複数の圧縮カラーは、ハウジング・キャップの平坦な端壁に係合する平坦面を有する単体のカバー部材として組み合わされる、請求項21記載の電気コネクタ。
【手続補正２】
【補正対象書類名】明細書
【補正対象項目名】００１４
【補正方法】変更
【補正の内容】
【００１４】
図５および図６を参照すると、マルチワイヤ電気コネクタ３５には、絶縁された複数の導体３６が取り付けられている。電気コネクタ３５は、縦長の長方形のハウジングまたは本体３７を有しており、かつハウジング３７を含むカバー３８を有している。カバーは、複数のねじ部品４０を用いてハウジングに取り付けられている。各電気導体３６は、絶縁シート４２で囲まれた中央導体４１を有している。図６でわかるように、各電線３６は絶縁部および導体において平滑な縁部４３を有するように切断されている。カバー３８は、各開口部４４内に１つの導体３６が挿入される複数の開口部４４を有している。カバーは、ねじ４０用の開口部４５も有している。ハウジングは、ねじ部品４０が開口部４５を通りねじ付き開口部４７に入ることによってカバー３８に取り付けられたときに各開口部４４と整列する複数の開口部４６を有している。複数の電気コネクタ４８がハウジングの底部から延びており、それぞれ、ボア４６に延びる中央プロングまたは中央ピン５０を有している。各ボア４６は、テーパ付き表面５１も有している。複数のクランプ止めカラーまたは圧縮カラー５２はそれぞれ、一般的に筒状の部分５３と、複数のスロット５５によって間隔を置いて配置され筒状の部分５３に対して斜めに配置することのできる複数のフィンガ５４とを有している。各カラー５２がボア４６の１つのテーパ部５１に挿入され、カバー３８がねじ４０を用いて部分的にハウジングに取り付けられる。次に、各導体３６をカバー開口部４４に挿入し、カラー５２に挿入することができ、カラー５２がフィンガ５４を広げる。次に、各導体をボア４６に挿入することができ、プロング５０が絶縁部に押し込まれ、導体の中央に押し込まれる。カラー５２は、フィンガ５４を広げることを可能にする安価な絶縁ポリマー材料で作ることができ、あるいはカラーは導電中央ワイヤと接触しないので必要に応じて導電金属であってもよい。各ワイヤが挿入された後、ねじ４０を締め付け各カラー５２の上縁部５６を押し付けることができ、それによってフィンガ５４が、テーパ付き表面５１に押し付けられ各導体３６の外側絶縁部４２に直接押し付けられ、したがって、絶縁された複数の個々の導体３６がすべて同時にクランプ止めされる。
【手続補正３】
【補正対象書類名】明細書
【補正対象項目名】００１６
【補正方法】変更
【補正の内容】
【００１６】
図９および図１０を参照すると、電気導体７５は、ねじ付き開放キャップ７８を用いてハウジング８０に取り付けられたカバー８１内の複数の開口部７７を通ってその内部を延びている絶縁された複数の電気導体７６を有している。キャップ７８は、図１０でわかるように複数のカラー８２が組み込まれたカバー表面８１上にクランプ止めされる。各カラー８２は、複数のスロット８４によって間隔を置いて配置された複数の可変性のフィンガ８３を有している。ハウジング８０は、テーパ付き開口部内に延び、さらに中空のハウジング部８７内に延びているプロングまたは中央ピン８６を各々が有する、複数のテーパ付き開口部８５を有している。使用時には、開放中央部８８および雌ねじ９０を有するキャップ部７８を、ハウジング８０の雄ねじ９１上にねじ込み、複数のカラー部材８１をテーパ付きボア８５に押し込む。キャップ７８を緩く取り付けた後で、平滑に切断され、各カラーのフィンガ８３を広げる開口部７７を通じて挿入される端部９２を有する各電気導体７６を導電プロング８６上に押し込む。次に、ねじ付きキャップ７８を締め付け、カラー８２のすべての傾斜フィンガ８３を、テーパ付き開口部８５に押し付け各導体７６に押し込み、各導体７６をその内部に通過させ、同時に各胴体にクランプ止めし保持する。
【手続補正４】
【補正対象書類名】明細書
【補正対象項目名】００１７
【補正方法】変更
【補正の内容】
【００１７】
図１１を参照すると、本発明の他の態様が、複数のスロット９８によって分離された可変性であるかあるいは延性のある複数のフィンガ９７を有する図６のカラー５２と同様なカラー９６を有するバッテリ用電気コネクタ９５を示している。コネクタハウジング９９は、内部に延びるプロング１０１を含むボア１００を有しており、バッテリ端子上にクランプ止めすることのできるバッテリ端子開口部１０２をも有している。カラー９６はボア１００に挿入され、電気導体１０３は、カラーを通してプロング１０１上に挿入され、さらにキャップ１０４に挿入される。キャップ１０４は、キャップ１０４がコネクタ・ハウジング９９のボア１００の雌ねじ１０７上にねじ込まれたときにカラー９６のフィンガ９７に押し付けられるテーパ付き表面１０５を有することができる。